(57)【要約】【課題】コンピュータで実装されるプロセスまたは監視システムに関して諸欠点を改善し、ケーブル処理マシンの監視を容易にする。【解決手段】ケーブルの処理のための、複数のケーブル処理マシン（１、１’、２、２’）を監視するために、コンピュータで実装される方法が提案されており、方法が、以下の：１つのケーブル処理マシン（１、１’、２、２’）、または、複数のケーブル処理マシン（１、１’、２、２’）から、中央データベース（６）を有する制御サーバ（４）に製造パラメータを伝送するステップであって、製造パラメータが、問題となっているケーブル処理マシン（１、１’、２、２’）によるケーブルの処理のための、ケーブル処理マシン（１、１’、２、２’）の設定を含む、ステップと；制御サーバ（４）によって製造パラメータを受信するステップと；製造パラメータを中央データベース（６）内に格納するステップとを含んでいる。【選択図】図１
2020144859.tif 000002
【特許請求の範囲】
【請求項１】
ケーブルの処理のための、複数のケーブル処理マシン（１、１’、２、２’）を監視するための、コンピュータで実装される方法であって、
ケーブル処理マシン（１、１’、２、２’）、または複数のケーブル処理マシン（１、１’、２、２’）から、中央データベース（６）をもつ制御サーバ（４）に製造パラメータを伝送するステップであって、製造パラメータが、問題となっているケーブル処理マシン（１、１’、２、２’）によるケーブルの処理のための、ケーブル処理マシン（１、１’、２、２’）の設定を含む、ステップと、
制御サーバ（４）によって製造パラメータを受信するステップと、
製造パラメータを中央データベース（６）内に格納するステップと
を含む、方法。
【請求項２】
方法が、
故障のメッセージを１つまたは複数のケーブル処理マシン（１、１’、２、２’）から制御サーバ（４）に伝送するステップと、
制御サーバ（４）によって故障のメッセージを受信するステップと、
故障のメッセージを中央データベース（６）内に格納するステップと  をさらに含む、請求項１に記載の方法。
【請求項３】
方法が、
制御サーバ（４）から、ケーブル処理マシン（１、１’、２、２’）または複数のケーブル処理マシン（１、１’、２、２’）に製造データを伝送するステップであって、製造データが、処理されることになるケーブルのタイプ、および／または、処理されることになるケーブルの数、特にバッチサイズをも含んでいる、ステップと、
伝送された製造データを中央データベース（６）内に格納するステップと、
問題となっているケーブル処理マシン（１、１’、２、２’）により、製造データを受信および処理するステップと
をさらに含む、請求項１または２に記載の方法。
【請求項４】
方法が、
ケーブル処理マシン（１、１’、２、２’）から制御サーバ（４）に製造データを伝送するステップであって、製造データが、処理されることになるケーブルのタイプ、および／または、処理されることになるケーブルの数、特にバッチサイズをも含んでいる、ステップと、
制御サーバ（４）によって製造データを受信するステップと、
制御サーバ（４）によって受信された製造データを中央データベース（６）内に格納するステップと
をさらに含む、請求項１から３のいずれか一項に記載の方法。
【請求項５】
方法が、
１つまたは複数のケーブル処理マシン（１、１’、２、２’）から制御サーバ（４）に、品質データおよび／または品質パラメータを伝送するステップであって、品質データが、処理されたケーブルの品質に関係する情報を含み、および／または、品質パラメータが、処理されたケーブルの品質の決定のための設定を含んでいる、ステップと、
品質データおよび／または品質パラメータを制御サーバ（４）によって受信するステップと、
品質データおよび／または品質パラメータを中央データベース（６）内に格納するステップと
をさらに含む、請求項１から４のいずれか一項に記載の方法。
【請求項６】
方法が、
問題となっているケーブル処理マシン（１、１’、２、２’）上での、ユーザ（２０、２１）のログオンデータおよび／またはログオフデータを、１つのケーブル処理マシン（１、１’、２、２’）または複数のケーブル処理マシン（１、１’、２、２’）から制御サーバ（４）に伝送するステップであって、特に、ログオンデータおよび／またはログオフデータが、問題となっているケーブル処理マシン（１、１’、２、２’）上でのユーザ（２０、２１）のログオンおよび／またはログオフの時間を含んでいる、ステップと、
ログオンデータおよび／またはログオフデータを中央データベース（６）内に格納するステップと
をさらに含む、請求項１から５のいずれか一項に記載の方法。
【請求項７】
方法が、
故障のメッセージおよび／または警告のメッセージを、制御サーバ（４）から監視コンピュータに、および／または、ケーブル処理マシン（１、１’、２、２’）のユーザ（２０、２１）、特に、問題となっているケーブル処理マシン（１、１’、２、２’）上の特別な権限をもつユーザ（２０、２１）のターミナルデバイス（８、９）に伝送するステップ
をさらに含む、請求項１から６のいずれか一項に記載の方法。
【請求項８】
ケーブル処理マシン（１、１’、２、２’）が、相互に異なるタイプのケーブル処理マシン（１、１’、２、２’）を含み、
同じタイプのケーブル処理マシン（１、１’、２、２’）が、各ケースにおいて、あるグループに集合させられており、
制御サーバ（４）が、各ケースにおいて、同じデータおよび／またはパラメータを、それぞれのグループのケーブル処理マシン（１、１’、２、２’）に伝送する、
請求項１から７のいずれか一項に記載の方法。
【請求項９】
ケーブル処理マシン（１、１’、２、２’）が、各ケースにおいて、ローカルデータベース（３、３’、３’’、３’’’）を有し、
データおよび／またはパラメータが、ケーブル処理マシン（１、１’、２、２’）と制御サーバ（４）との間でやりとりされ、それにより、中央データベース（６）が、ケーブル処理マシン（１、１’、２、２’）のローカルデータベース（３、３’、３’’、３’’’）の各々のコピーを有する、
請求項１から８のいずれか一項に記載の方法。
【請求項１０】
方法が、
問題となっているケーブル処理マシン（１、１’、２、２’）の製造バッチの、ケーブル処理の開始時間および／またはケーブル処理の終了時間を、制御サーバ（４）に伝送するステップと、
ケーブル処理の開始時間および／またはケーブル処理の終了時間を制御サーバ（４）によって受信するステップと、
ケーブル処理の開始時間および／またはケーブル処理の終了時間を中央データベース（６）内に格納するステップと
をさらに含む請求項１から９のいずれか一項に記載の方法。
【請求項１１】
方法が、
制御サーバ（４）から、１つのケーブル処理マシン（１、１’、２、２’）に、または、複数のケーブル処理マシン（１、１’、２、２’）に、製造パラメータを伝送するステップと、
ケーブル処理マシン（１、１’、２、２’）または複数のケーブル処理マシン（１、１’、２、２’）により、製造データを受信および採用するステップと、
伝送された製造パラメータを中央データベース（６）内に格納するステップと
をさらに含む、請求項１から１０のいずれか一項に記載の方法。
【請求項１２】
方法が、
ウェブサービスを提供するステップであって、ウェブサービスが、
ケーブル処理マシン（１、１’、２、２’）のグループの表示、および／または、ケーブル処理マシン（１、１’、２、２’）のグループの定義、
特にそれぞれのユーザレベルでの、ケーブル処理マシン（１、１’、２、２’）のユーザ（２０、２１）の管理、
ケーブル処理マシン（１、１’、２、２’）の製造データの表示および／または変更、および／または、制御サーバ（４）からケーブル処理マシン（１、１’、２、２’）への物品の定義の配信、
ケーブル処理マシン（１、１’、２、２’）の特定のグループの製造パラメータの表示および／または比較、
中央データベース（６）で利用可能なデータの表示、比較、フィルタリング、および／または同期のためのルールの、定義および格納、
中央データベース（６）の、製造データ、製造パラメータ、他のデータ、および／または故障のメッセージの統計上の評価、
および／または、
故障のメッセージおよび／または警告のメッセージを生成させる、事象および／またはデータの偏差の定義
のために設計されている、ステップをさらに含む請求項１から１１のいずれか一項に記載の方法。
【請求項１３】
プロセッサによって実行された際に、プロセッサに、請求項１から１２のいずれか一項に記載の方法を実行させる、コンピュータプロセッサによって読み取り可能な命令を有する、コンピュータプログラム製品。
【請求項１４】
請求項１３に記載のコンピュータプログラム製品が記憶されたコンピュータ可読媒体。
【請求項１５】
複数のケーブル処理マシン（１、１’、２、２’）を監視するための監視システム（１０）であって、監視システム（１０）が、
ケーブルの処理のための複数のケーブル処理マシン（１、１’、２、２’）と、
ケーブル処理マシン（１、１’、２、２’）の制御および監視のための制御サーバ（４）とを備え、
制御サーバ（４）が中央データベース（６）を備え、
ケーブル処理マシン（１、１’、２、２’）が、制御サーバ（４）への製造パラメータの伝送のために設計されており、
製造パラメータが、問題となっているケーブル処理マシン（１、１’、２、２’）によるケーブルの処理のための、ケーブル処理マシン（１、１’、２、２’）の設定を含み、
制御サーバ（４）が、製造パラメータの受信、および、中央データベース（６）内における製造パラメータの格納のために設計されている、監視システム（１０）。
【請求項１６】
ケーブル処理マシン（１、１’、２、２’）が、制御サーバ（４）への故障のメッセージの伝送のために設計されており、
制御サーバ（４）が、故障のメッセージの受信、および、中央データベース（６）内における故障のメッセージの格納のために設計されている、請求項１５に記載の監視システム（１０）。
【請求項１７】
ケーブル処理マシン（１、１’、２、２’）が、品質データおよび／または品質パラメータを制御サーバ（４）に伝送するために設計されており、品質データが、処理されたケーブルの品質に関係する情報を含み、および／または、品質パラメータが、処理されたケーブルの品質の決定のための設定を含んでおり、
制御サーバ（４）が、品質データおよび／または品質パラメータを受信する、ならびに、品質データおよび／または品質パラメータを中央データベース（６）内に格納するために設計されている、
請求項１５または１６に記載の監視システム（１０）。
【請求項１８】
ケーブル処理マシン（１、１’、２、２’）が、各ケースにおいて、ローカルデータベース（３、３’、３’’、３’’’）を有し、
中央データベース（６）が、ケーブル処理マシン（１、１’、２、２’）のローカルデータベース（３、３’、３’’、３’’’）の各々のコピーを有する、
請求項１５から１７のいずれか一項に記載の監視システム（１０）。
【請求項１９】
監視システム（１０）が、据え置き型ターミナルデバイスおよび／または移動ターミナルデバイス（８、９）をも有し、制御サーバ（４）が、故障のメッセージおよび／または品質データ上の統計をターミナルデバイス（８、９）に伝送するように設計されている、
請求項１５から１８のいずれか一項に記載の監視システム（１０）。
【請求項２０】
監視システム（１０）が、ウェブサービスを提供するように設計されており、ウェブサービスが、
ケーブル処理マシン（１、１’、２、２’）のグループの表示および／またはケーブル処理マシン（１、１’、２、２’）のグループの定義、
特にそれぞれのユーザレベルでの、ケーブル処理マシン（１、１’、２、２’）のユーザ（２０、２１）の管理、
ケーブル処理マシン（１、１’、２、２’）の製造データの表示および／または変更、および／または、制御サーバ（４）からケーブル処理マシン（１、１’、２、２’）への物品の定義の配信、
ケーブル処理マシン（１、１’、２、２’）の特定のグループの製造パラメータの表示および／または比較、
中央データベース（６）で利用可能なデータの表示、比較、フィルタリング、および／または同期のためのルールの定義および格納、
中央データベース（６）の、製造データ、製造パラメータ、他のデータ、および／または故障のメッセージの統計上の評価、
および／または、
故障のメッセージおよび／または警告のメッセージを生成させる、事象および／またはデータの偏差の定義
のために設計されている、請求項１５から１９のいずれか一項に記載の監視システム（１０）。
【発明の詳細な説明】
【技術分野】
【０００１】
本発明は、複数のケーブル処理マシンを監視するための、コンピュータで実装される方法、および、監視システムに関係する。
【背景技術】
【０００２】
多数のケーブル処理マシンが、しばしば、企業内に配備される。これらは、しばしば、同じタイプであり、同じ範囲の製造材料を処理するために使用され、通常：
−  ケーブルタイプ（ストランドの数、導電体の断面、外径、および、絶縁体の色）、ケーブルの長さ、および、２つのケーブル端部において剥がされた絶縁体の長さ、および、適切である場合は、ねじり、すずめっき、または圧縮などの、剥がされたケーブル端部の特別な処理によって特徴付けられるケーブル、
−  それらのタイプ、および、ケーブル端部に対する位置によって特徴付けられる、一方または両方のケーブル端部の端子部品（圧着端子またはケーブル端部のフェルール）、
−  それらのタイプ、および、ケーブル端部に対する位置によって特徴付けられる、シール用グロメット
を含む。
【０００３】
仕上げられるケーブル、すなわち、製造される物品は、製造材料の、所望の特徴、たとえば、所望の位置における各ケースにおいて、所望の長さにカットされ、一定の長さにわたって両側の絶縁体が剥がされ、一定のシール用グロメットおよび端子部品が提供された、一定のタイプのケーブルとの組合せおよび接続によって決定される。通常は、ケーブル処理マシンの製造指図書と同じ物品の複数のバッチが、製造され、ケーブル処理マシンは、次いで、別の物品のために、修正されおよびセットアップされる。
【０００４】
ケーブル処理マシンのすべてのタイプが、同じ物品を処理することができるわけではない。このため、よりシンプルなケーブル処理マシンは、ある長さにケーブルをカットして、絶縁体を剥がすことができるのみであり、一定のタイプは、シール用グロメットにフィットすることができない。
【０００５】
物品のセットアップのために、製造材料、および、物品の定義が、ケーブル処理マシンのローカルデータベース内で利用可能でなければならない。このことは、ユーザによって「手作業で」行われることができるか、これらのデータがマスターコンピュータによって提供され、ケーブル処理マシンに伝送される。
【０００６】
製造される物品を決定するデータに加え、製造パラメータも、ケーブル処理マシン上で定義されなければならない；これらは、ケーブル処理マシンのタイプに応じて変わる場合がある。たとえば、これらは：
−  ケーブルフィードの速度および加速度、
−  絶縁体を剥がす間にナイフがカットする深さ、
−  処理ステーションに接近する際の（回転）速度、
−  処理モジュール（圧着プレスおよびシーリングモジュール）上の処理設定、および
−  品質モニタのセットアップのためのパラメータ
の形態を取る。
【０００７】
製造パラメータの正確な設定は、ケーブル処理マシンの生産率、および、問題となっているケーブル処理マシンによって製造される物品の品質に大きく影響する。
【０００８】
製品の定義、および、製造指図書のためのデータ（物品、量、およびバッチサイズ）は、マスターコンピュータによって、すなわち、製造制御ソフトウェアによって、集中的に管理および配信されることができるが、オペレータまたはユーザは、通常、ケーブル処理マシンでローカルに、最適な製造パラメータを見出し、セットアップする。このことは、製造の間、たとえば、製造品質が許容できない程度まで低下する値まで、速度を上昇させることにより、反復処理として行われることができる。製造パラメータが、ローカルにセットアップされることから、すべてのケーブル処理マシンが最適にセットアップされず、また、このことが、同じ物品を製造する各ケーブル処理マシンに対し、生産率および製造品質が異なることに繋がるリスクが存在する。
【０００９】
摩耗したか、拙劣にセットアップされたか、拙劣に維持されたケーブル処理マシン、または、正確に機械的に調整されていないケーブル処理マシンは、しばしば、好ましくない状況において、故障のメッセージとともに、動作の過程において停止する場合があり、また、このため、可用性に欠ける場合がある。故障のメッセージは、個別のケーブル処理マシン上でローカルに認められることから、工場内のどのケーブル処理マシンが、ダウンタイムによって特に頻繁に影響されているかを決定することは容易ではない。
【発明の概要】
【課題を解決するための手段】
【００１０】
とりわけ、コンピュータで実装されるプロセスまたは監視システムに関して、上で説明された欠点を改善すること、および、ケーブル処理マシンを監視することを、技術的観点から容易にすることの必要性が存在する場合がある。
【００１１】
そのような必要性は、独立請求項に係る方法または監視システムによって満たされることができる。実施形態の有利な形態は、従属請求項に定義されている。
【００１２】
本発明の第１の態様によれば、ケーブルの処理のための、複数のケーブル処理マシンを監視するための、コンピュータで実装される方法が提案されており、この方法は、以下の：１つのケーブル処理マシン、または、複数のケーブル処理マシンから、中央データベースをもつ制御サーバに製造パラメータを伝送するステップであって、製造パラメータが、問題となっているケーブル処理マシンによるケーブルの処理のための、ケーブル処理マシンの設定を含む、ステップと；制御サーバによって製造パラメータを受信するステップと；製造パラメータを中央データベース内に格納するステップとを含んでいる。
【００１３】
このことの利点は、製造パラメータが、典型的には、集中的にアクセスされることができ、製造パラメータが、互いに比較されることができることである。さらに、製造パラメータは、技術的観点から迅速および容易に、通常は分析されることができる。典型的には、製造パラメータと他の特性との間の関係（たとえば、所与の時間内に、問題となっているケーブル処理マシンによってどれだけの数のケーブルが処理されるか）、または、問題となっているケーブル処理マシンまたは複数のマシンの設定が、技術的観点から容易に決定されることもできる。これにより、一般に、ケーブル処理マシンの製造データの迅速な概観を得ることも可能である。これが、ケーブル処理マシンの動作の効率を向上させる。
【００１４】
本発明の第２の態様によれば、複数のケーブル処理マシンを監視するための監視システムが提案されており、この監視システムは、以下の：ケーブルの処理のための複数のケーブル処理マシンと；ケーブル処理マシンの制御および監視のための制御サーバとを備え、制御サーバが中央データベースを備え、ケーブル処理マシンが、製造パラメータを制御サーバに伝送するように設計されており、製造パラメータが、問題となっているケーブル処理マシンによるケーブルの処理のための、ケーブル処理マシンの設定を含み、制御サーバは、製造パラメータを受信するように、および、中央データベース内に製造パラメータを格納するように設計されている。
【００１５】
この監視システムの利点は、集中的に製造パラメータにアクセスすること、および、これら製造パラメータを互いに比較することが、技術的観点から通常は容易であることである。さらに、この監視システムにより、技術的観点から迅速および容易に、製造パラメータを分析し、統計的に評価することが、通常は可能である。監視システム、および、製造パラメータの集中的記録により、製造パラメータと他の特性との間の相関関係（たとえば、所与の時間内に、問題となっているケーブル処理マシンによってどれだけの数のケーブルが処理されるか）、または、問題となっているケーブル処理マシンの設定が、技術的観点から容易に、典型的には決定されることができる。さらに、監視システム内の製造パラメータの集中的な記録により、ケーブル処理マシンの製造データの、技術的観点からシンプルで迅速な概観が、通常は提供される。これが、ケーブル処理マシンの動作の効率を、通常は向上させる。
【００１６】
プロセッサによって実行された際に、プロセッサに、上述の方法を実行させる、コンピュータのプロセッサによって読み取り可能な命令を有する、コンピュータプログラム製品も提案されている。さらに、このコンピュータプログラム製品が記憶されたコンピュータ可読媒体が提案されている。
【００１７】
本発明の実施形態の形態の可能性のある特徴および利点が、とりわけ、本発明を限定することなく、以下で説明されるアイデアおよび発見に基づくものとして考慮され得る。
【００１８】
本方法の実施形態の一形態によれば、方法は、以下の：故障のメッセージを１つまたは複数のケーブル処理マシンから制御サーバに伝送するステップと；制御サーバによって故障のメッセージを受信するステップと；故障のメッセージを中央データベース内に格納するステップとをも含んでいる。
【００１９】
換言すると、故障のメッセージは、追加的に、集中的に格納されることができる。
【００２０】
この利点は、一般に、故障のメッセージの集中的格納が、ケーブル処理マシンが、他のケーブル処理マシンよりも多くの故障、または、より類似した故障を有するか、および、どのケーブル処理マシンがこれらの故障を有するかを決定することを、技術的観点から容易にすることである。さらに、設定された製造パラメータと、故障のメッセージとの間の相関関係は、技術的観点から容易に、典型的には確立されるか認識されることができる。このことは、ケーブル処理マシンが、特に効率的に通常は作動されることができることを意味している。これが、通常は、単位時間あたりに処理されるケーブルの最大数および、処理されるケーブルの平均的品質を向上させる。典型的には、特に少ない数の故障のメッセージに繋がるケーブル処理マシンの製造パラメータまたは設定は、これらが、他のケーブル処理マシンでセットアップされることができるように、決定されるか識別されることもできる。
【００２１】
方法の実施形態の一形態によれば、方法は、以下の：制御サーバから、ケーブル処理マシンまたは複数のケーブル処理マシンに製造データを伝送するステップであって、製造データが、処理されることになるケーブルのタイプ、および／または、処理されることになるケーブルの数、特にバッチサイズをも含んでいる、ステップと；伝送された製造データを中央データベース内に格納するステップと；問題となっているケーブル処理マシンにより、製造データを受信および処理するステップとをも含んでいる。
【００２２】
換言すると、製造データ、具体的には、どのケーブル、または、どのタイプのケーブルが、処理されることになるか、およびケーブルがどのように処理されるか、たとえば、どの構成要素（圧着端子など）にケーブルが接続されることになるか、どれだけの数のケーブルが、それに応じて処理されることになるか（量および／またはバッチサイズ）が、ケーブル処理マシンに集中的に配信され、集中的に格納されることができる。
【００２３】
このことの利点は、制御サーバが、技術的観点から容易に、製造データをケーブル処理マシンに、通常は配信または伝送することができることである。このため、マスターコンピュータが、一般に不要にされることができる。さらに、製造データは、製造パラメータおよび／または故障のメッセージに関連して、通常は集中的に記録、分析、および試験されることができる。
【００２４】
方法の実施形態の一形態によれば、方法は、ケーブル処理マシンから制御サーバに製造データを伝送するステップであって、製造データが、処理されることになるケーブルのタイプ、および／または、処理されることになるケーブルの数、特にバッチサイズをも含んでいる、ステップと、制御サーバによって製造データを受信するステップと、制御サーバから受信された製造データを中央データベース内に格納するステップとをも含んでいる。
【００２５】
換言すると、製造データは、ケーブル処理マシンから制御サーバに伝送され、集中的に格納されることができる。
【００２６】
このことの利点は、特にマスターコンピュータが利用可能ではない場合に、製造データが、ケーブル処理マシンに、またはケーブル処理マシンにより、入力または記録され、次いで、製造サーバに伝送されることができることである。次いで、製造サーバから、データが一般に、他のケーブル処理マシンに伝送または配信されることができる。このことは、１つのケーブル処理マシンからの製造データが、技術的観点から容易に、他のケーブル処理マシンに、典型的には伝送または複製されることができることを意味している。さらに、ケーブル処理マシン上の製造データの入力は、一般に、技術的観点から特にシンプルであり、迅速に実行されることができ、また、ユーザにとって特に便利である。１つのケーブル処理マシン上で首尾良くテストが実行された後に、製造データは、技術的観点から容易に、他のケーブル処理マシンに伝送されることもできる。
【００２７】
方法の実施形態の一形態によれば、方法は、以下の：１つまたは複数のケーブル処理マシンから制御サーバに、品質データおよび／または品質パラメータを伝送するステップであって、品質データが、処理されたケーブルの品質についての情報を含み、および／または、品質パラメータが、処理されたケーブルの品質の決定のための設定を含んでいる、ステップと、制御サーバによって品質データおよび／または品質パラメータを受信するステップと、品質データおよび／または品質パラメータを中央データベース内に格納するステップとをも含んでいる。
【００２８】
換言すると、処理されたケーブルについての品質データは、これにより、集中的に記録および格納されることができる。
【００２９】
このことの利点は、異なるケーブル処理マシンによる処理の品質が、技術的観点から容易に、典型的には互いに比較されることができることである。さらに、品質と、故障のメッセージと、製造データと、製造パラメータとの間の関係が、通常は、分析または認識されることができる。このため、たとえば、ケーブル処理マシンの製造パラメータの一態様の、他のケーブル処理マシンと比較した差異が、処理されたケーブルの、平均未満の品質に繋がると、一般に述べることができる。品質データは、実行される品質の測定（複数の場合もある）のタイプのデータを、典型的には含むことができる。
【００３０】
方法の実施形態の一形態によれば、方法は、以下の：問題となっているケーブル処理マシン上での、ユーザのログオンデータおよび／またはログオフデータを、１つのケーブル処理マシンまたは複数のケーブル処理マシンから制御サーバに伝送するステップであって、特に、ログオンデータおよび／またはログオフデータが、問題となっているケーブル処理マシン上でのユーザのログオンおよび／またはログオフの時間を含んでいる、ステップと；ログオンデータおよび／またはログオフデータを中央データベース内に格納するステップとをも含んでいる。
【００３１】
換言すると、ユーザのログオンおよびログオフは、個別のケーブル処理マシン上で集中的にログされることができる。
【００３２】
このことの利点は、だれが、どのケーブル処理マシンにログオンしたか、またはログオフしたか、およびいつしたかを決定することが、通常は可能であることである。これは、一般に、たとえば、従業員の作業データまたは作業時間を比較するときに、パスワードが違法にユーザ間で渡されたかを決定するために使用されることができる。たとえば、ユーザがログオンしたが、そのユーザが勤務中ではなかった場合、このユーザのログオンデータが、別のユーザによって使用されたことが、認識されることができる。ユーザによって実行された、パラメータおよび／またはデータの、すべての入力または修正が、ログされるおよび格納されることも考えられる。このことは、改訂を防止する方式で実行されることができる。これが、だれが改変を実行したかを、典型的には決定でき、このユーザは、なぜ、何の理由のために、このユーザが一定の変更を製造パラメータ、品質パラメータ、および／または製造データに対して行ったかを問われる場合がある。
【００３３】
方法の実施形態の一形態によれば、方法は、以下の：故障のメッセージ、および／または、警告のメッセージ、特に、故障のメッセージに基づく警告のメッセージを、制御サーバから監視コンピュータに、および／または、ケーブル処理マシンのユーザ、特に、問題となっているケーブル処理マシン上の特別な権限をもつユーザのターミナルデバイスに伝送するステップをも含んでいる。
【００３４】
換言すると、ケーブル処理マシンのユーザは、故障のメッセージを能動的に通知される（プッシュメッセージ）ことができる。
【００３５】
このことの利点は、ユーザがケーブル処理マシンの近くにいない場合であっても、ユーザが、一般に、故障のメッセージを通知されることができることである。これが、故障が認識され、修正されるまでの時間を、典型的には低減させる。これが、ケーブル処理マシンの動作の効率を、通常は向上させる。ユーザは、ケーブル処理マシンまたは複数のマシンに対する特別な権限、すなわち、ケーブル処理マシンの、少なくとも１人の他の個別のユーザよりも多くの、またはより拡大された権限を有することができる。たとえば、特別な権限は、一定の故障のメッセージを承認する権限、および／または、一定の製造パラメータおよび／または品質パラメータを変更する権限などを含むことができる。特別な権限をもつユーザは、いわば、別のユーザよりも多くを「請け負う場合がある」。故障のメッセージおよび／または警告のメッセージが伝送されるときに関するルールは、ユーザによってセットアップされることができる。たとえば、故障のメッセージおよび／または警告のメッセージは、許可されていないユーザがログオンしたか、ログオンを試みた場合、ケーブル処理マシンの、平均を超えるか、顕著に長いダウンタイム（たとえば、直近の２４時間、直近の一週間、もしくは直近の一ヶ月の平均の少なくとも１０％を超える）が認識された場合、および／または、ケーブル処理マシン、もしくは様々なケーブル処理マシンに、特定の故障が複数発生したことが認識された場合に、伝送されることができる。
【００３６】
方法の実施形態の一形態によれば、ケーブル処理マシンが、異なるタイプのケーブル処理マシンを含み、同じタイプのケーブル処理マシンが、グループに集合させられており、制御サーバが、同じデータおよび／またはパラメータを、問題となっているグループのケーブル処理マシンに伝送する。
【００３７】
換言すると、類似のケーブル処理マシンのグループが、これにより、形成されることができる。
【００３８】
このことの利点は、ケーブル処理マシンの監視および／または制御が、技術的観点から、一般に特に容易であることである。さらに、制御サーバは、典型的には、技術的観点から特にシンプルであることができる。各グループは、共通のインターフェースを介して制御サーバに接続されることができる。この手段により、コストおよび労力が節約される。
【００３９】
方法の実施形態の一形態によれば、ケーブル処理マシンの各々が、ローカルデータベースを有し、データおよび／またはパラメータが、ケーブル処理マシンと制御サーバとの間でやりとりされ、それにより、中央データベースが、ケーブル処理マシンのローカルデータベースの各々のコピーを有する。
【００４０】
換言すると、中央データベースは、ケーブル処理マシンデータベースのコピー、すなわち、それぞれのデータベースのすべてのデータを含んでいる。
【００４１】
このことの利点は、制御サーバまたはユーザが、技術的観点から容易に、すべてのデータに通常はアクセスし分析できることである。さらに、ローカルデータベースのバックアップが、通常はこの方法で存在し、この結果として、データの損失のリスクが低減される。
【００４２】
方法の実施形態の一形態によれば、方法は、以下の：問題となっているケーブル処理マシンの製造バッチの、ケーブル処理の開始時間および／またはケーブル処理の終了時間を、制御サーバに伝送するステップと；ケーブル処理の開始時間および／またはケーブル処理の終了時間を制御サーバによって受信するステップと；ケーブル処理の開始時間および／またはケーブル処理の終了時間を中央データベース内に格納するステップとをも含んでいる。
【００４３】
換言すると、この手段により、製造バッチの開始時間および／または終了時間が、集中的に記録および格納されることができる。
【００４４】
このことの利点の１つは、個別のケーブル処理マシンの効率の分析が、技術的観点から容易に、一般に実行されることができることである。同じ数のケーブルを同じ方法で処理するために、平均より著しく長いか短い時間がかかったケーブル処理マシンを識別することも可能である。
【００４５】
方法の実施形態の一形態によれば、方法は、以下の：制御サーバから、１つのケーブル処理マシンに、または、複数のケーブル処理マシンに、製造パラメータを伝送するステップと；ケーブル処理マシンまたは複数のマシンにより、製造パラメータを受信および採用するステップと；伝送された製造パラメータを中央データベース内に格納するステップとをも含んでいる。
【００４６】
換言すると、この手段により、ケーブル処理マシンの製造パラメータが、制御サーバによって集中的に変更されることができる。
【００４７】
このことの利点は、製造パラメータが、問題となっているケーブル処理マシンの近くにいる必要なしに、技術的観点から容易に、典型的には変更されることができることである。結果として、効率的であると識別された製造パラメータが、ケーブル処理マシンがその製造パラメータを採用するように、制御サーバからケーブル処理マシンに、技術的観点から容易に、通常は伝送されることができる。
【００４８】
方法の実施形態の一形態によれば、方法は、以下の：ウェブサービスを提供するステップであって、ウェブサービスが：ケーブル処理マシンのグループの表示および／または、ケーブル処理マシンのグループの定義、特にそれぞれのユーザレベルでの、ケーブル処理マシンのユーザの管理、ケーブル処理マシンの製造データの表示および／または変更、および／または、制御サーバからケーブル処理マシンへの物品の定義の配信、中央データベースで利用可能なデータの表示、比較、フィルタリング、および／または同期のためのルールの、定義および格納、中央データベースの、製造データ、製造パラメータ、さらなるデータ、および／または故障のメッセージの統計上の評価、および／または、故障のメッセージおよび／または警告のメッセージを生成させる、事象および／またはデータの偏差の定義のために設計されている、ステップをも含んでいる。
【００４９】
換言すると、ネットワーク、特に、ローカルネットワークまたはインターネット、すなわち、ワールドワイドウェブを介してアクセス可能なサービスが、提供されることができ、これにより、監視システムまたはケーブル処理マシンの様々な機能が使用されることができ、および／または、ケーブル処理マシンについての情報が、変更および／または表示されることができる。
【００５０】
このことの利点は、ユーザが、監視システムもしくはケーブル処理マシンの様々な機能を使用するため、および／または、ケーブル処理マシンに変更を加えるために、物理的に現場にいる必要が、典型的にはないことである。ユーザは、このことを遠隔で、すなわち、遠隔メンテナンスにより、行うこともできる。これが、コストを低減させ、ケーブル処理マシンの可変性および柔軟性を増大させる。具体的には、故障のメッセージまたは問題が発生した場合、ユーザは、ユーザが現場にいない場合であっても、故障または問題を遠隔で迅速に解決することができる。一般に、統計上の評価、故障の分析などが遠隔で実行されることもできる。
【００５１】
監視システムの実施形態の一形態によれば、ケーブル処理マシンが、故障のメッセージを制御サーバに送るように設計されており、制御サーバが、故障のメッセージを受信するように、および、中央データベース内に故障のメッセージを格納するように設計されている。
【００５２】
換言すると、故障のメッセージは、追加的に、監視システムに、集中的に格納されることができる。
【００５３】
このことのさらなる利点は、ケーブル処理マシンからの故障のメッセージが、典型的には、集中的に格納されることができることである。このため、中央データベースは、ケーブル処理マシンが、他のケーブル処理マシンよりも多くの故障、または、より類似した故障を有するか、および、どのケーブル処理マシンがこれらの故障を有するかを、技術的観点から容易に決定するために、通常は使用されることができる。監視システムの別の利点は、一般に、ケーブル処理マシンの設定された製造パラメータと、故障のメッセージとの間の相関関係または依存関係が、技術的観点から容易に、分析または決定されることができることである。結果として、ケーブル処理マシンは、通常は、非常に効率的に動作されることができる。この手段により、単位時間あたりに処理されるケーブルの最大数が、典型的には増大されることができ、監視システムでの、処理されたケーブルの平均的品質も可能である。監視システムのさらなる利点は、特に少ない数の故障のメッセージに繋がる、ケーブル処理マシンの製造パラメータまたは設定が、一般に、技術的観点から容易に決定または識別されることができ、それにより、それら製造パラメータまたは設定が、他のケーブル処理マシンでセットアップされることができることである。
【００５４】
監視システムの実施形態の一形態によれば、ケーブル処理マシンが、品質データおよび／または品質パラメータを制御サーバに送るように適合されており、品質データが、処理されたケーブルの品質についての情報を含み、および／または、品質パラメータが、処理されたケーブルの品質の決定のための設定を含んでおり、制御サーバが、品質データおよび／または品質パラメータを受信するため、ならびに、品質データおよび／または品質パラメータを中央データベース内に格納するために設計されている。
【００５５】
換言すると、ケーブル処理マシンからの品質データおよび／または品質パラメータは、制御サーバに伝送されることができ、中央データベースに格納されることができる。
【００５６】
このことの利点の１つは、異なるケーブル処理マシンによって実行される処理操作の品質が、技術的観点から容易に、制御サーバにより、比較および分析されることができることである。さらに、品質と、故障のメッセージと、製造データと、製造パラメータとの間の関係または相関関係が、分析および認識されることができる。したがって、たとえば、１つのケーブル処理マシンの製造パラメータの一態様における、他のケーブル処理マシンと比較しての差異が、処理されたケーブルの平均未満の品質に繋がることが、通常は、見られることができる。品質データは、実行された品質の測定（複数の場合もある）のタイプに関係するデータを、典型的には含むことができる。制御サーバにより、問題となっているケーブル処理マシンの品質が、どのように決定されたかに関し、技術的観点から容易に決定されることもできる。
【００５７】
監視システムの実施形態の一形態によれば、ケーブル処理マシンの各々が、ローカルデータベースを有し、中央データベースが、ケーブル処理マシンのローカルデータベースの各々のコピーを有している。
【００５８】
換言すると、各ローカルデータベースのコピーが、中央データベースに見られることができる。
【００５９】
このことの利点の１つは、制御サーバ、または、監視システムのユーザが、技術的観点から容易に、データベース内のすべてのデータに一般にアクセスし分析できることである。さらに、問題となっているローカルデータベースのバックアップが一般に存在し、この結果として、データの損失のリスクが最小にされている。
【００６０】
監視システムの実施形態の一形態によれば、監視システムが、据え置き型ターミナルデバイスおよび／または移動ターミナルデバイスをも有し、制御サーバが、品質データに関係する故障のメッセージおよび／または統計をターミナルデバイスに伝送するように設計されている。
【００６１】
換言すると、故障のメッセージおよび／または統計が、能動的に（「プッシュメッセージ」）ターミナルデバイスに伝送されることができる。
【００６２】
このことの利点の１つは、ユーザが、問題となっているケーブル処理マシンの近くにいない場合であっても、ユーザが、ターミナルデバイスにより、技術的観点から迅速および容易に、典型的には通知されることができることである。故障のメッセージおよび／または統計の伝送により、ユーザは、短時間で反応することができ、このため、故障のメッセージが承認され、故障が修正されるまでの時間を低減させる。これが、ケーブル処理マシンの動作の効率を、通常は向上させる。問題となっているターミナルデバイスのユーザは、ケーブル処理マシンまたは複数のマシンに対する特別な権限、すなわち、ケーブル処理マシンの、少なくとも１人の他の個別のユーザよりも多くの、またはより拡大された権限を有することができる。ユーザが、ケーブル処理マシンまたは複数のマシンの、一定の故障のメッセージを承認することの拡大された権限、および／または、一定の製造パラメータおよび／または品質パラメータもしくは類似のパラメータを変更する権限を有することが可能である。ある意味で、ケーブル処理マシンに対する特別な権限をもつユーザは、いわば、別のユーザ、または通常のユーザよりも多くを「請け負う場合がある」。
【００６３】
監視システムの実施形態の一形態によれば、監視システムは、ウェブサービスを提供するように設計されており、ウェブサービスは：−  ケーブル処理マシンのグループの表示および／またはケーブル処理マシンのグループの定義、−  特にそれぞれのユーザレベルでの、ケーブル処理マシンのユーザの管理、−  ケーブル処理マシンの製造データの表示および／または変更、および／または、制御サーバからケーブル処理マシンへの物品の定義の配信、−  ケーブル処理マシンの特定のグループの製造パラメータの表示および／または比較、−  中央データベース内のデータの表示、比較、フィルタリング、および／または同期のためのルールの定義および格納、−  中央データベースからの製造データ、製造パラメータ、他のデータ、および／または故障のメッセージの統計上の評価、および／または、−  故障のメッセージおよび／または警告のメッセージを生成させるように設計された、事象および／またはデータの偏差の定義のためのものである。
【００６４】
換言すると、監視システムは、ネットワーク、特に、ローカルネットワークまたはインターネット、すなわち、ワールドワイドウェブを介してアクセス可能なサービスを提供することができ、これにより、監視システムまたはケーブル処理マシンの様々な機能性が使用されることができ、および／または、ケーブル処理マシンについての情報が、変更および／または表示されることができる。
【００６５】
このことの利点の１つは、一般に、ユーザが、現場にいる必要がなく、また、それにもかかわらず、監視システムまたはケーブル処理マシンの様々な機能性または機能を使用することができることである。さらに、ユーザは、ケーブル処理マシンの設定を遠隔で記録および／または変更することができる。この手段により、動作コストが低減されることができ、ケーブル処理マシンの動作の中断の長さまたは数も可能である。たとえば、故障のメッセージが発生した場合、ユーザは、通知されることができ、および／または、処置が、定義されたルールに従って自動的に取られることができる。ユーザは、故障を遠隔で変更または訂正することができる。さらに、統計上の評価、故障の分析などは遠隔で実行されることができる。
【００６６】
製造パラメータは、たとえば、ケーブルフィードの速度および加速度、絶縁体を剥がす間にナイフがカットする深さ、処理ステーションの始動の間の（回転）速度、処理モジュール（圧着プレスおよびシーリングモジュール）上の処理設定、および／または、品質モニタをセットアップするためのパラメータを含むことができる。
【００６７】
本発明の可能性のある特徴および利点のいくつかが、実施形態の様々な形態を参照して本明細書に説明されていることを理解されたい。当業者には、特徴は、本発明の実施形態のさらなる形態に到達するために、適切に組み合わせ、適合させ、または置き換えられることができることを認識する。
【００６８】
以下では、本発明の実施形態の形態が、添付図面を参照して説明されるが、図面も詳細な説明も、本発明を限定するものとは解釈されないものとする。
【図面の簡単な説明】
【００６９】
【図１】図１は、本発明の監視システムの実施形態の一形態の概略図である。
【発明を実施するための形態】
【００７０】
図面は、もっぱら概略的ものであり、拡縮は真のものではない。
【００７１】
図１は、本発明の監視システム１０の実施形態の一形態の概略図である。
【００７２】
監視システム１０（制御／監視システムでもあり得る）は、中央データベース６をもつ制御サーバ４と、複数のケーブル処理マシン１、１’、２、２’とを備えている。特に、中央データベース６は、問題となっているケーブル処理マシン１、１’、２、２’上でローカルに利用可能であるのみならず、たとえば制御サーバ４から、集中的にアクセスされることができるデータベース６であるように理解されることになる。中央データベース６は、当然、複数の場所にわたって分散および／またはミラーされることができる。
【００７３】
図１は、４つのケーブル処理マシン１、１’、２、２’を示しており；第１の、２つのケーブル処理マシン１、１’は、図１の左側の、技術的により複雑なタイプであり、第２の、２つのケーブル処理マシン２、２’は、図１の右側の、技術的によりシンプルなタイプである。同じタイプのケーブル処理マシン１、１’、２、２’は、各ケースにおいて、あるグループに集合させられることができる。制御サーバ４は、グループのアドレスを指定し、および／または、グループとデータをやりとりできるか、あるいは、個別のケーブル処理マシン１、１’、２、２’のアドレスを指定し、および／または、個別のケーブル処理マシン１、１’、２、２’とデータをやりとりできる。
【００７４】
ケーブル処理マシン１、１’、２、２’は、各々が、ローカルデータベース３、３’、３’’、３’’’を有している。故障のメッセージ、品質データ、製造データ、および／または製造パラメータが、ローカルデータベース３、３’、３’’、３’’’に格納されている。
【００７５】
ケーブル処理マシン１、１’、２、２’は、各ケースにおいて、スイッチングデバイス５、５’、５’’（ゲートウェイ）またはインターフェースによって制御サーバ４に接続されている。複数のケーブル処理マシン１、１’、２、２’、または、ケーブル処理マシン１、１’、２、２’の各グループが、スイッチングデバイス５、５’、５’’を共有することが可能である。
【００７６】
スイッチングデバイス５、５’、５’’は、無線で制御サーバ４に接続されている。接続は、ローカルネットワーク、モバイル通信、および／またはインターネットを介して形成されることができる。
【００７７】
双方向通信３０、３０’、３０’’は、スイッチングデバイス５、５’、５’’と制御サーバ４との間で生じることができる。
【００７８】
制御サーバ４は、インターネット上のクラウドのソリューションか、ローカルネットワークの構成要素とすることができる。制御サーバ４は、たとえば、コンピュータおよび中央データベース６を備えることができる。制御サーバ４は、複数のソフトウェアモジュールでソフトウェア７を走らせる。
【００７９】
たとえば、第１のソフトウェアモジュールは、ケーブル処理マシン１、１’、２、２’との通信のために設計されることができる。第１のソフトウェアモジュールは、定義されたトランスミッションプロトコル（たとえば、ＴＣＰ／ＩＰ）を使用して、データ（たとえば、品質データおよび／または製造データ）、パラメータ（たとえば、製造パラメータおよび／または品質パラメータ）、ならびに、故障のメッセージを、伝送および／または受信することができる。
【００８０】
第２のソフトウェアモジュールは、データ、パラメータ、および故障のメッセージを、中央データベース６に格納するように設計されることができる。データベース６は、機能的データ構造を有することができる。たとえば、データベース６は、リレーショナルデータベース６とすることができる。
【００８１】
第３のソフトウェアモジュールは、ウェブサーバを提供することができる。第３のソフトウェアモジュールに対し、故障のメッセージおよび／または警告のメッセージ、または他の情報の伝送が、据え置き型ターミナルデバイス８（たとえば、デスクトップコンピュータ）、および／または、移動ターミナルデバイス９（たとえば、モバイル電話、スマートフォン、タブレット、ラップトップ）に対する、プッシュメッセージ３２またはアクティブメッセージとして設計されることも可能である。ウェブサーバは、認可されたユーザ２１が、対応するウェブクライアントに組み込まれたユーザインターフェースを介して制御サーバ４と通信することを可能にすることができる。ウェブクライアントは、据え置き型ターミナルデバイス８および／または移動ターミナルデバイス９上で動作されることができる。双方向通信は、据え置き型ターミナルデバイス８と制御サーバ４との間で生じることができる。ウェブクライアントは、たとえば、そのユーザインターフェースを介して以下の機能：
−  ケーブル処理マシン１、１’、２、２’の構成の表示、および、ケーブル処理マシン１、１’、２、２’のグループの定義。これらは、ケーブル処理マシン１、１’、２、２’の製造パラメータの比較および同期、または変更のために使用されることができる；
−  ケーブル処理マシン１、１’、２、２’のユーザ２０、２１の、それぞれのユーザレベルでの管理；
−  製造データの表示および物品の定義の配信。この手段により、マスターコンピュータまたはより高いレベルのソフトウェアが製造管理のために利用可能ではない場合でも、これらのデータが配信されることもできる;
−  ケーブル処理マシン１、１’、２、２’の特定のグループの製造パラメータの表示および比較。この手段により、最適ではなく調整されたケーブル処理マシン１、１’、２、２’が認識されることができ、および／または、最適な製造パラメータが、決定されるか見出されることができる;
−  中央データベース６で利用可能なデータの表示、比較、フィルタリング、および／または同期のためのルールの定義および格納。この手段により、一定の条件が満たされたときに、繰り返し行われる作業が自動化されることができるか、繰り返し行われる作業が、適切なスクリプト走らせることによって実行されることができる;
−  中央データベース６のデータ、パラメータ、および／または故障のメッセージの統計上の評価。この手段により、たとえば、予知保全のための適切な統計、もしくは、組織のエリアにおける改善方策のプランニングが、まとめられることができる;
および／または、
−  自動メッセージを生成させる事象の、定義および製造パラメータの偏差。製造パラメータが、特定の限界値を下回ったかまたは超えた場合、あるいは、特定の平均値からの偏差が、特定の限界値を超えた場合に、故障のメッセージおよび／または警告のメッセージが自動的に生成され、ターミナルデバイス８、９に伝送されることができる。故障のメッセージおよび／または警告のメッセージは、ｅメール、ＳＭＳ、ファックス、インスタントメッセージまたは類似のものの形態で伝送されることができる
を与える。
【００８２】
定義されたルールは、データおよび／またはパラメータの、ケーブル処理マシン１、１’、２、２’への自動的な配信または移動の目的をも果たすことができる。このため、たとえば、物品の定義は、ケーブル処理マシン１、１’、２、２’および製造材料が、特有の識別子を有することから、複数のケーブル処理マシン１、１’、２、２’、または、すべてのケーブル処理マシン１、１’、２、２’に容易に伝送されることができる。
【００８３】
定義されたルール、適用されたフィルタ、および／または、実行された問合せは、中央データベース６に格納されている。これが、データベース６内に存在するデータが特に効率的に使用されることを可能にする。各ケースにおいて、複数のケーブル処理マシン１、１’、２、２’を監視および／または制御する複数の制御サーバ４が、互いにネットワーク化されるか、接続されることも考えられる。これらは、１つの位置か複数の場所にあることができる。
【００８４】
ケーブル処理マシン１、１’、２、２’は、たとえば、以下の製造材料：
−  ケーブルタイプ（ストランドの数、導電体の断面、外径、および絶縁体の色）、ケーブルの長さ、および、２つのケーブル端部において剥がされた絶縁体の長さ、および、適切である場合は、ねじり、すずめっき、もしくは圧縮などの、剥がされたケーブル端部の特別な処理によって特徴付けられるケーブル、
−  それらのタイプ、および、ケーブル端部に対する位置によって特徴付けられる、一方もしくは両方のケーブル端部の端子部品（圧着端子、もしくは、ケーブル端部のフェルール）、
および／または、
−  それらのタイプ、および、ケーブル端部に対する位置によって特徴付けられる、シール用グロメット
を処理することができる。
【００８５】
製造データは、たとえば、処理される物品およびそれらの構成要素の定義、および／または、量および／またはバッチサイズを伴う製造指図書を含むことができる。製造データは、制御サーバ４から、ケーブル処理マシン１、１’、２、２’、ケーブル処理マシン１、１’、２、２’のグループ、または複数のケーブル処理マシン１、１’、２、２’に伝送され、ケーブル処理マシン１、１’、２、２’、ケーブル処理マシン１、１’、２、２’のグループ、または複数のケーブル処理マシン１、１’、２、２’によって受信および処理される。製造データが、ケーブル処理マシン１、１’、２、２’から制御サーバ４に伝送され、制御サーバ４によって格納されることも可能である。制御サーバ４は、受信した製造データを中央データベース６内に格納することができ、および／または、製造データを他のケーブル処理マシン１、１’、２、２’に伝送もしくは送ることができる。
【００８６】
製造パラメータは、通常、物品が、特に効率的に製造されることができるように、マシンにセットアップされる。製造パラメータは、ケーブル処理マシン１、１’、２、２’から制御サーバ４に伝送され、制御サーバ４によって受信され、中央データベース６内に格納されることができる。
【００８７】
品質データおよび／または品質パラメータは、品質監視デバイスのセットアップのためのデータ、および／または、実行された品質監視もしくは品質測定の結果を含むことができる。通常の品質監視デバイスは、絶縁体を剥がすことの、カッティングエッジの監視および光学的監視、端子部品の圧着の圧着力の監視、および／または、シール用グロメットの正確な位置の光学的監視を含んでいる。品質データおよび／または品質パラメータは、ケーブル処理マシン１、１’、２、２’、ケーブル処理マシン１、１’、２、２’のグループ、または複数のケーブル処理マシン１、１’、２、２’から、制御サーバ４に伝送される。品質パラメータが、制御サーバ４からケーブル処理マシン１、１’、２、２’、ケーブル処理マシン１、１’、２、２’のグループ、または複数のケーブル処理マシン１、１’、２、２’に伝送され、ケーブル処理マシン１、１’、２、２’または複数のケーブル処理マシン１、１’、２、２’によって採用されることも可能である。この方式で、処理されたケーブルのチェックのための設定またはパラメータが、集中的に、技術的観点から容易に、ケーブル処理マシン１、１’、２、２’上で変更されることができる。
【００８８】
中央データベース６は、問題となっているケーブル処理マシン１、１’、２、２’上で利用可能である、ローカルデータベース３、３’、３’’、３’’、３’’’のコピーまたは画像（デジタルツイン）を含むことができる。この目的のために、データは、制御サーバ４とケーブル処理マシン１、１’、２、２’との間で互いにやりとりされることができ、それにより、少なくともデータベース３、３’、３’’、３’’’、６の同期の実行の後に、各ケースにおいて、中央データベース６が、それぞれのローカルデータベース３、３’、３’’、３’’’の現在のコピーを含み、また、ローカルデータベース３、３’、３’’、３’’’が、各ケースにおいて、中央データベース６内のコピーに対応する。同期は、固定された間隔で（たとえば、５分毎、３０分毎、１時間毎）、および／または、データベースをアップデートする際に、実行されることができる。
【００８９】
故障のメッセージは、ケーブル処理マシン１、１’、２、２’から制御サーバ４に伝送され、制御サーバ４によって受信され、中央データベース６内に格納されることができる。
【００９０】
中央データベース６は、ケーブル処理マシン１、１’、２、２’のデータ、パラメータ、および故障のメッセージを、問題となっているケーブル処理マシン１、１’、２、２’の対応するアサインとともに格納し、それにより、データ、パラメータ、および故障のメッセージの各々が、一意に、ケーブル処理マシン１、１’、２、２’、または、ケーブル処理マシン１、１’、２、２’のグループにアサインされることができる。さらに、中央データベースが６つの他の事象を格納することが可能である。他の事象は、問題となっているケーブル処理マシン１、１’、２、２’から制御サーバ４に、または、制御サーバ４からケーブル処理マシン１、１’、２、２’に伝送される。他の事象は、他のものの内、以下：
−  マシンのオペレータの、関連するユーザレベル、および／または、関連する時間での、ログインおよびログアウト（ログインデータおよびログアウトデータ）
−  開始時間および終了時間、ならびに、製造指図書およびバッチの量
−  故障のメッセージ、および、ケーブル処理マシン１、１’、２、２’の製造または動作における他の停止
および／または、
−拙劣に製造されたケーブル、および／または、品質監視の結果の検出および報告
を含むことができる。
【００９１】
ユーザ２０、２１は、問題となっているケーブル処理マシン１、１’、２、２’に対する様々な（アクセス／変更の）権限を有することができる。たとえば、シンプルな権限をもつユーザ２０が存在し得る。このユーザは、事前定義されたケーブル処理マシン１、１’、２、２’にアクセスすることができるのみであり、および／または、製造パラメータにシンプルな変更を加えることができるのみであり、および／または、低い介入強度で、故障のメッセージを承認することができるのみである。マシンのオペレータまたはユーザのアクセス権限は、たとえば、不十分に資格が与えられたオペレータまたはユーザが、製造パラメータを調整することを防止するように、制限されることができる。たとえば、適切なパスワードの認可されていない開示の結果として、それにもかかわらず、このことが行われた場合、このことは、ケーブル処理マシンの拙劣なセットアップにも繋がり得る。
【００９２】
さらに、特別な、または拡大された（アクセス／変更の）権限をもつユーザ２１、たとえば、シフトリーダが存在し得る。シフトリーダは、すべてのケーブル処理マシン１、１’、２、２’にアクセスすることができ、（ほとんど）すべてのパラメータおよび／またはデータを変更することができる。
【００９３】
故障のメッセージがケーブル処理マシン１、１’、２、２’の１つに発生した場合、故障のメッセージは、制御サーバ４に伝送され、制御サーバ４によって受信され、中央データベース６内に格納される。緊急性に応じて、制御サーバ４は、故障のメッセージ、および／または、故障のメッセージに基づく警告のメッセージを、据え置き型ターミナルデバイス８および／または移動ターミナルデバイス９に伝送することができる。移動デバイス９は、たとえば、拡大された権限をもつユーザ２１によって保持されることができ、それにより、ユーザ２１には、ユーザ２１の場所に関わらず、故障のメッセージが迅速に伝えられる。
【００９４】
ケーブル処理マシン１、１’、２、２’は、問題となっているケーブル処理マシン１、１’、２、２’の製造バッチの、ケーブル処理の開始時間および／またはケーブル処理の終了時間を、制御サーバ４に送ることができる。この手段により、ケーブル処理マシン１、１’、２、２’が、どれだけ長く、問題となっているケーブルを処理する必要があるかについて決定されることができる。
【００９５】
たとえば、ケーブル処理マシン１、１’、２、２’が、（他のケーブル処理マシン１、１’、２、２’から計算された）平均の時間より長く、特定のタイプのケーブルを処理する必要があることがわかった場合、適切な警告のメッセージが伝送されることができる。この手段により、対応するケーブル処理マシン１、１’、２、２’、または、対応するケーブル処理マシン１、１’、２、２’の設定もしくはパラメータが、なぜこのケーブル処理マシン１、１’、２、２’が、他のケーブル処理マシン１、１’、２、２’よりも遅く動作しているかを見出すように、試験されることができる。平均値に近い許容間隔内における偏差は、許容されることができる。たとえば、偏差が、約１５％より大であるか、約２０％より大である場合、何が原因であるかについて、より詳細にケーブル処理マシン１、１’、２、２’が検査されることができるように、このケーブル処理マシン１、１’、２、２’に問題があることが決定されることができる。
【００９６】
制御サーバ４は、仮想のサーバまたは専用のサーバとすることができる。
【００９７】
ケーブル処理マシン１、１’、２、２’は、たとえば、パンチおよび金敷を有する圧着機とすることができ、ケーブルの一方の端部または両方の端部が、圧着端子と圧着される。ケーブル処理マシン１、１’、２、２’が、複数のワークステーションを有することも可能であり、このワークステーションにおいて、ケーブルが、様々な方法で処理される。
【００９８】
最後に、「有する（ｈａｖｉｎｇ）」、「備える、含む（ｃｏｍｐｒｉｓｉｎｇ）」などの用語が、他の要素またはステップを除外せず、また、「１つ（ｏｎｅ）」などの用語が、複数のこの「１つ（ｏｎｅ）」を除外しないことに留意されたい。上述の実施形態の例の１つを参照して説明された特徴またはステップが、上で説明された実施形態の他の例の他の特徴またはステップと組み合わせても使用され得ることに、さらに留意されたい。特許請求の範囲における参照符号は、限定とは解されないものとする。
【符号の説明】
【００９９】
１、１’  第１のタイプのケーブル処理マシン
２、２’  第２のタイプのケーブル処理マシン
３、３’、３’’、３’’’  ケーブル処理マシンのローカルデータベース
４  制御サーバ
５、５’、５’’  スイッチングデバイス
６  中央データベース
７  制御サーバのソフトウェア
８  据え置き型ターミナルデバイス
９  移動ターミナルデバイス
１０  監視システム
２０  シンプルなユーザ
２１  特別な権限をもつユーザ
３０、３０’、３０’’  ケーブル処理マシンと制御サーバとの間の通信
３１  制御サーバと据え置き型ターミナルデバイスとの間の通信
３２  プッシュメッセージ
【図１】
2020144859.tif 000003
【外国語明細書】
2020144859000001.pdf